(57)【特許請求の範囲】
【請求項１】
複数のＲＡＫＥフィンガと、
前記複数のＲＡＫＥフィンガの中で、チャネルの受信に用いるＲＡＫＥフィンガの数を、前記チャネルの拡散率に基づいて制御する制御手段と、を具備し、
前記制御手段は、
より小さい拡散率を有するチャネルには、より多数のＲＡＫＥフィンガを割り当て、より大きい拡散率を有するチャネルには、より少数のＲＡＫＥフィンガを割り当てる、
ことを特徴とする無線受信装置。
【請求項２】
前記制御手段は、
前記チャネルの受信開始時は、前記チャネルの受信に用いるＲＡＫＥフィンガの数を、前記チャネルの拡散率に基づいて制御する一方、
前記チャネルの受信中は、前記チャネルの受信に用いるＲＡＫＥフィンガの数を、前記チャネルの受信品質に基づいて制御する、
ことを特徴とする請求項１記載の無線受信装置。
【請求項３】
前記制御手段は、
前記チャネルの受信品質の変化率に基づく変数を増減数として、前記チャネルの受信に用いるＲＡＫＥフィンガの数を増加または減少させる、
ことを特徴とする請求項２記載の無線受信装置。
【請求項４】
請求項１記載の無線受信装置を具備することを特徴とするＣＤＭＡ受信装置。
【請求項５】
請求項４記載のＣＤＭＡ受信装置を具備することを特徴とする無線基地局装置。
【請求項６】
複数のＲＡＫＥフィンガの中で、チャネルの受信に用いるＲＡＫＥフィンガの数を制御するＲＡＫＥフィンガ割り当て方法であって、
より小さい拡散率を有するチャネルには、前記複数のＲＡＫＥフィンガのうち、より多数のＲＡＫＥフィンガを割り当て、より大きい拡散率を有するチャネルには、前記複数のＲＡＫＥフィンガのうち、より少数のＲＡＫＥフィンガを割り当てる、
ことを特徴とするＲＡＫＥフィンガ割り当て方法。
【発明の詳細な説明】
【０００１】
【発明の属する技術分野】
本発明は、無線受信装置およびＲＡＫＥフィンガ割り当て方法に関する。
【０００２】
【従来の技術】
ＣＤＭＡ受信装置は、自動車電話、携帯電話などの移動体通信システムで用いられ、無線アクセス方式にＣＤＭＡ（Ｃｏｄｅ  Ｄｉｖｉｓｉｏｎ  Ｍｕｌｔｉｐｌｅ  Ａｃｃｅｓｓ）方式を採用している受信装置である。このようなＣＤＭＡ受信装置は、無線回線上のチャネルを拡散コードによって識別する。このようなＣＤＭＡ受信装置を備える基地局では、移動局が送信した無線信号を複数の伝搬パスとして受信して合成するＲＡＫＥ受信を行うことが一般的である。
【０００３】
図６は、従来のＣＤＭＡ受信装置の構成の一例を示すブロック図である。図６において、送信側からあるチャネルを介して送信されたＲＦ（Ｒａｄｉｏ  Ｆｒｅｑｕｅｎｃｙ）信号は、アンテナ１０で受信され、無線部２０でベースバンド信号（受信信号）にダウンコンバートされた後、複数（たとえばＫ個）のＲＡＫＥ受信器３０−１、３０−２、…、３０−ＫでＲＡＫＥ受信される。なお、ＲＡＫＥ受信器３０−１〜３０−Ｋはすべて同様の構成を有するので、以下、任意のＲＡＫＥ受信器を単に「３０」と表す。
【０００４】
ＲＡＫＥ受信器３０は、受信開始時に、同期処理部３１で、ＣＤＭＡ受信装置を制御する制御部（図示せず）から、受信チャネルの拡散コードを取得する。そして、同期処理部３１で、受信信号から複数のパスおよびそれらの拡散コード位相を検出する。検出されたパスは、複数（たとえばＮ個）のフィンガ３２−１、３２−２、…、３２−Ｎにそれぞれ割り当てられる。フィンガ３２−１〜３２−Ｎでは、検出された拡散コード位相に基づいて、逆拡散部３３−１、３３−２、…、３３−Ｎで、割り当てられたパスの信号を逆拡散し、続いて、同期検波部３４−１、３４−２、…、３４−Ｎで、逆拡散された信号を同期検波する。そして、最大比合成部３５で、フィンガ３２−１〜３２−Ｎからの出力信号（すなわち、同期検波された信号）に所定の重み付けを行って最大比合成し、この結果をＲＡＫＥ合成結果として出力する。
【０００５】
【発明が解決しようとする課題】
しかしながら、マルチパス環境下で良好な受信特性を得るためには、ＲＡＫＥ受信器がより多くのフィンガを使用する必要がある。その一方で、拡散率の低いチャネルを受信するときなど、チャネルの通信状態によっては、多くのフィンガを使用する必要がない。ところが、上述の従来のＣＤＭＡ受信装置では、１つのチャネルに対して、常に１つのＲＡＫＥ受信器が使用される。つまり、常にＮ個のフィンガがそのチャネルに割り当てられる。そのため、従来のＣＤＭＡ受信装置に具備されているＲＡＫＥ受信器では、１つのチャネルに対して、通信状態に応じて適切な数のフィンガを割り当てることができないという問題があった。換言すれば、より多くのチャネルを受信するためにＲＡＫＥ受信器の数（Ｋ個）を増やすと、ＣＤＭＡ受信装置内のフィンガの数（Ｋ×Ｎ個）が大きくなり、そのため、ＣＤＭＡ受信装置内に不使用のフィンガが多く存在してしまう問題があった。
【０００６】
本発明は、かかる点に鑑みてなされたものであり、チャネルに対して適切な数のフィンガを割り当てることができる無線受信装置およびＲＡＫＥフィンガ割り当て方法を提供することを目的とする。
【０００７】
【課題を解決するための手段】
本発明の無線受信装置は、複数のＲＡＫＥフィンガと、前記複数のＲＡＫＥフィンガの中で、チャネルの受信に用いるＲＡＫＥフィンガの数を、前記チャネルの拡散率に基づいて制御する制御手段と、を具備し、前記制御手段は、より小さい拡散率を有するチャネルには、より多数のＲＡＫＥフィンガを割り当て、より大きい拡散率を有するチャネルには、より少数のＲＡＫＥフィンガを割り当てる構成を採る。
【０００８】
この構成によれば、装置内に設けられた複数のフィンガの中から受信されたチャネルに割り当てる少なくとも１つのフィンガを設定するため、受信されたチャネルに割り当てるフィンガの数を可変とすることができ、１つのチャネルに対して適切な数のフィンガを割り当てることができる。
【００１０】
また、この構成によれば、チャネルの拡散率に基づいて少なくとも１つのフィンガの設定を行うため、チャネルに割り当てるフィンガの数を拡散率に応じて可変とすることができ、常に適切な数のフィンガを割り当てることができる。
【００１７】
本発明のＣＤＭＡ受信装置は、上記の無線受信装置を具備する構成を採る。
【００１８】
この構成によれば、上記と同様の作用効果を得ることができるＣＤＭＡ受信装置を提供することができる。
【００１９】
本発明の無線基地局装置は、上記のＣＤＭＡ受信装置を具備する構成を採る。
【００２０】
この構成によれば、上記と同様の作用効果を得ることができる無線基地局装置を提供することができる。
【００２１】
本発明のＲＡＫＥフィンガ割り当て方法は、複数のＲＡＫＥフィンガの中で、チャネルの受信に用いるＲＡＫＥフィンガの数を制御するＲＡＫＥフィンガ割り当て方法であって、より小さい拡散率を有するチャネルには、前記複数のＲＡＫＥフィンガのうち、より多数のＲＡＫＥフィンガを割り当て、より大きい拡散率を有するチャネルには、前記複数のＲＡＫＥフィンガのうち、より少数のＲＡＫＥフィンガを割り当てるようにした。
【００２３】
【発明の実施の形態】
本発明の骨子は、受信するチャネルに対して、その通信状態に応じて割り当てるフィンガの数を可変とすることである。
【００２４】
以下、本発明の実施の形態について、図面を参照して詳細に説明する。
【００２５】
図１は、本発明の一実施の形態に係るＣＤＭＡ受信装置の構成を示すブロック図である。
【００２６】
図１に示すＣＤＭＡ受信装置は、アンテナ１００と、あるチャネルを介してアンテナ１００で受信されたＲＦ信号をベースバンド信号（受信信号）にダウンコンバートする無線部２００と、受信信号をＲＡＫＥ受信する複数（たとえばＫ個）のＲＡＫＥ受信器３００−１、３００−２、…、３００−Ｋとから構成されている。なお、ＲＡＫＥ受信器３００−１、３００−２、…、３００−Ｋはすべて同様の構成を有するので、以下、任意のＲＡＫＥ受信器を単に「３００」と表す。
【００２７】
ＲＡＫＥ受信器３００は、切り替え制御部３０１と、同期処理部３０２と、切り替えスイッチ３０３と、複数（たとえばＮ個）のフィンガ３０４−１、３０４−２、…、３０４−Ｎと、複数（たとえばＭ個）の最大比合成部３０７−１、３０７−２、…、３０７−Ｍとを備えている。フィンガ３０４−１〜３０４−Ｎは、それぞれ逆拡散部３０５−１、３０５−２、…、３０５−Ｎ、および同期検波部３０６−１、３０６−２、…、３０６−Ｎを備えている。なお、以下の説明において、任意のフィンガを単に「３０４」と表し、任意のフィンガ３０４に含まれる逆拡散部を「３０５」、同期検波部を「３０６」と表す。さらに、最大比合成部３０７−１〜３０７−Ｍはすべて同様の構成を有するので、任意の最大比合成部を単に「３０７」と表す。
【００２８】
図１に示される切り替え制御部３０１の具体的な構成の一例は、図２に示される。切り替え制御部３０１は、拡散率取得部３０８と、受信品質取得部３０９と、参照部３１０と、テーブル３１１と、フィンガ数決定部３１２と、フィンガ数記憶部３１３と、選択部３１４と、制御信号出力部３１５と、良否判定部３１６と、増減決定部３１７、未使用フィンガカウンタ３１８と、フィンガ数計算部３１９とを備えている。
【００２９】
次いで、上記構成を有するＲＡＫＥ受信器３００の動作について説明する。
【００３０】
ＲＡＫＥ受信器３００は、切り替え制御部３０１で、チャネルの通信状態（たとえば、チャネルの拡散率または受信品質）を取得する。それから、この通信状態に基づいてチャネルに対して決定された数（たとえばＰ個）のフィンガを割り当てる制御信号を同期処理部３０２へ出力し、この通信状態に基づいてチャネルに対してＰ個のフィンガおよび１個の最大比合成部３０７を割り当てる制御信号を切り替えスイッチ３０３へ出力する。切り替え制御部３０１の動作については、後述する。
【００３１】
そして、切り替えスイッチ３０３では、制御信号に従って、割り当てられたＰ個のフィンガ３０４からの出力を割り当てられた最大比合成部３０７に出力するよう、ＲＡＫＥ受信器３００内部に設けられたフィンガ３０４と最大比合成部３０７との接続を切り替える。
【００３２】
そして、同期処理部３０２では、受信開始時に、ＣＤＭＡ受信装置を制御する制御部（図示せず）から受信信号の拡散コードを取得する。また、ＲＡＫＥ受信器３００が複数のチャネルを受信する時、同期処理部３０２では、取得した複数の拡散コードをそれぞれ保持する。拡散コード取得後、同期処理部３０２では、制御信号に従って、受信信号から最大でＰ個のパスおよびそれらの拡散コード位相を検出し、選択されたフィンガ３０４にパスをそれぞれ割り当てる。
【００３３】
そして、選択されたＰ個のフィンガ３０４では、逆拡散部３０５は、割り当てられたパスの信号を逆拡散し、さらに同期検波部３０６は、逆拡散された信号を同期検波して、同期検波後の信号を、切り替えスイッチ３０３を介して最大比合成部３０７に出力する。
【００３４】
最大比合成部３０７では、Ｐ個のフィンガ３０４からの出力信号に所定の重み付けを行い、最大比合成して、この結果をＲＡＫＥ合成結果として出力する。
【００３５】
ＲＡＫＥ受信器３００が複数のチャネルを受信する場合は、各チャネルに対して選択されたフィンガ３０４からの出力信号が、チャネルごとに異なる最大比合成部３０７にそれぞれ出力されるように接続が切り替えられるので、最大比合成部３０７は、チャネルごとのＲＡＫＥ合成結果を出力する。
【００３６】
次いで、上記構成を有する切り替え制御部３０１の動作について、図３、図４および図５を用いて説明する。図３は、切り替え制御部３０１の動作を説明するためのフロー図、図４は、テーブル３１１の一例を示す図、図５は、切り替え制御部３０１のもう１つの動作を説明するためのフロー図である。
【００３７】
まず、チャネルの受信を開始する時の切り替え制御部３０１の動作について、図３を用いて説明する。
【００３８】
ＲＡＫＥ受信器３００がチャネルの受信を開始すると、まずステップＳ１０００では、拡散率取得部３０８で、チャネルの拡散率ＳＦを取得して、参照部３１０に出力する。拡散率ＳＦは、ＣＤＭＡ受信装置を制御する制御部（図示せず）から取得される。
【００３９】
そして、ステップＳ１１００では、参照部３１０で、拡散率ＳＦとフィンガの数Ｐとの関係を格納するテーブル３１１を参照して、拡散率ＳＦに対応する数Ｐを抽出し、フィンガ数決定部３１２に数Ｐを出力する。
【００４０】
ここで、テーブル３１１の一例は、図４に示される通りである。例えば、今、受信を開始したチャネルＣｈ１の拡散率ＳＦ１が２５６であるとすると、この入力値２５６に対する出力値は４となる。この際、データサイズに応じて拡散率を可変とする方式（Ｄｙｎａｍｉｃ  ｒａｔｅ  ｍａｔｃｈｉｎｇ）が上り回線において採用されている場合には、チャネルＣｈ１に適用される最小の拡散率をＳＦ１とすれば良い。この方式は、３ＧＰＰ（３ｒｄ  Ｇｅｎｅｒａｔｉｏｎ  Ｐａｒｔｎｅｒｓｈｉｐ  Ｐｒｏｊｅｃｔ）仕様書ＴＳ２５．２１２に記載されている。拡散率の小さいチャネルは、拡散率の大きいチャネルよりも、無線回線で収容可能なチャネル数が少ないので、拡散率の小さいチャネルへ多くのフィンガ数を割り当てることによって、移動局装置からの送信電力を低減させても、基地局装置で良好な受信特性を得ることが期待できる。
【００４１】
そして、ステップＳ１２００では、フィンガ数決定部３１２で、入力された数Ｐを、チャネルに割り当てられるフィンガ３０４の個数として決定し、フィンガ数記憶部３１３および選択部３１４に出力する。
【００４２】
そして、ステップＳ１３００では、フィンガ数記憶部３１３で、チャネルに対して割り当てられたフィンガ数Ｐを記憶する。
【００４３】
そして、ステップＳ１４００では、選択部３１４で、Ｐ個のフィンガ３０４を、ＲＡＫＥ受信器３００に設けられたＮ個のフィンガ３０４の中から選択して、制御信号出力部３１５に通知する。より具体的には、Ｎ個のフィンガ３０４のうち、現在どのチャネルにも割り当てられていないフィンガ３０４の中からＰ個のフィンガ３０４を選択する。
【００４４】
そして、ステップＳ１５００では、選択部３１４で、Ｐ個のフィンガ３０４に対応する１個の最大比合成部３０７を、Ｍ個の最大比合成部３０７の中から選択して、制御信号出力部３１５に通知する。より具体的には、Ｍ個の最大比合成部３０７のうち、現在どのチャネルにも割り当てられていない最大比合成部３０７の中から１個の最大比合成部３０７を選択する。
【００４５】
なお、ステップＳ１５００での最大比合成部３０７の選択は、本実施の形態では上述の通りフィンガ３０４の選択後に行われているが、チャネルの受信開始直後に行われても良い。
【００４６】
そして、ステップＳ１６００では、制御信号出力部３１５で、選択部からの通知を受け、チャネルに対してＰ個のフィンガ３０４を割り当てる制御信号を同期処理部３０２へ出力する。また、これと同時に、チャネルに対してＰ個のフィンガ３０４と最大比合成部３０７を割り当てる制御信号を切り替えスイッチ３０３へ出力する。
【００４７】
次に、チャネルを受信している時の切り替え制御部３０１の動作について、図５を用いて説明する。
【００４８】
ＲＡＫＥ受信器３００がチャネルを受信している時、まずステップＳ１１１０では、受信品質取得部３０９で、チャネルの受信品質Ｑを取得して、良否判定部３１６に出力する。
【００４９】
ここで、受信品質Ｑは、３ＧＰＰ仕様書で規定されているＰｈｙｓｉｃａｌ  ｃｈａｎｎｅｌ  ＢＥＲ（Ｂｉｔ  ｅｒｒｏｒ  ｒａｔｅ）（上り回線で常時送信されるＤＰＣＣＨ（Ｄｅｄｉｃａｔｅｄ  Ｐｈｙｓｉｃａｌ  Ｃｏｎｔｒｏｌ  Ｃｈａｎｎｅｌ）に対するＢＥＲ測定値）や、Ｔｒａｎｓｐｏｒｔ  ｃｈａｎｎｅｌ  ＢＥＲ（ＲＡＫＥ合成後のＤＰＤＣＨ（Ｄｅｄｉｃａｔｅｄ  Ｐｈｙｓｉｃａｌ  Ｄａｔａ  Ｃｈａｎｎｅｌ）に対するＢＥＲ推定値）、またはＳＩＲ（Ｓｉｇｎａｌ  ｔｏ  Ｉｎｔｅｒｆｅｒｅｎｃｅ  Ｒａｔｉｏ）などの値を利用する。
【００５０】
本実施の形態では、たとえばＳＩＲのように、値が大きい程受信の品質が良好であることを表す指数を利用する場合を説明するが、Ｐｈｙｓｉｃａｌ  ｃｈａｎｎｅｌ  ＢＥＲやＴｒａｎｓｐｏｒｔ  ｃｈａｎｎｅｌ  ＢＥＲのように、値が小さい程受信の品質が良好であることを表す指数を利用する場合も容易に応用することができる。
【００５１】
そして、ステップＳ１１２０およびステップＳ１１３０では、良否判定部３１６は、二つの閾値Ｔｈ１およびＴｈ２（Ｔｈ１＜Ｔｈ２）を用いて受信品質Ｑの良否を判定する。まず、ステップＳ１１２０では、良否判定部３１６で、受信品質Ｑを閾値Ｔｈ１と比較する。この比較の結果がＱ≦Ｔｈ１のとき、受信品質Ｑは不良であると判定され、Ｑ＞Ｔｈ１のとき、受信品質Ｑは良好であると判定される。受信品質Ｑが良好である場合、ステップＳ１１３０では、良否判定部３１６で、受信品質Ｑを閾値Ｔｈ２と比較する。この比較の結果が（Ｔｈ１＜）Ｑ≦Ｔｈ２のとき、受信品質Ｑが良好であるとの判定を変更しないが、Ｑ＞Ｔｈ２（＞Ｔｈ１）のとき、受信品質Ｑは、過剰に良好であるとの判定に変更する。それから、この良否判定結果を増減決定部３１７に出力する。
【００５２】
そして、ステップＳ１１４０、ステップＳ１１５０、ステップＳ１１６０およびステップＳ１１７０では、増減決定部３１７で、良否判定結果に応じて、現在受信チャネルに対して与えられているフィンガ３０４の数Ｐを変更すべきか否かを決定する。
【００５３】
まず、良否判定結果が不良の場合（Ｓ１１２０：ＹＥＳ）、ステップＳ１１４０では、増減決定部３１７で、未使用フィンガカウンタ３１８を参照する。未使用フィンガカウンタ３１８は、選択部３１４をモニターし、現在受信中のどのチャネルにも割り当てられていないフィンガ３０４を計数して、その数Ｐｕを記憶する。この参照の結果がＰｕ＞０の場合（Ｓ１１４０：ＹＥＳ）、ステップＳ１１５０では、増減決定部３１７で、フィンガ数Ｐを１個増加することを決定する（出力値＝＋１）。一方、参照の結果がＰｕ＝０の場合（Ｓ１１４０：ＮＯ）、ステップＳ１１６０では、増減決定部３１７で、フィンガ数Ｐを変更しないことを決定する（出力値＝０）。また、ステップ良否判定結果が良好の場合（Ｓ１１３０：ＹＥＳ）、ステップＳ１１６０では、フィンガ数Ｐを変更しないことを決定する（出力値＝０）。さらに、良否判定結果が過剰に良好の場合（Ｓ１１３０：ＮＯ）、ステップＳ１１７０では、フィンガ数Ｐを１個減少することを決定する（出力値＝−１）。
【００５４】
なお、フィンガ数Ｐの増減数は、上記のように１などの所定の定数でも良いし、受信品質Ｑの値の変化率に基づく変数でも良い。増減決定部３１７は、増減決定結果に応じた上記の出力値をフィンガ数計算部３１９に出力する。
【００５５】
そして、ステップＳ１１８０では、フィンガ数計算部３１９で、チャネルに現在割り当てられているフィンガ数Ｐをフィンガ数記憶部３１３から読み出す。
【００５６】
そして、ステップＳ１１９０では、フィンガ数計算部３１９で、フィンガ数記憶部３１３から読み出したフィンガ数Ｐの値に、増減決定部３１７からの出力値を加算する。これにより、新しいフィンガ数Ｐを算出する。それから、この計算結果をフィンガ数決定部３１２に出力する。
【００５７】
そして、ステップＳ１２５０では、フィンガ数決定部３１２で、フィンガ数計算部３１９から受けたフィンガ数Ｐを、チャネルに対して割り当てられるフィンガ３０４の個数Ｐとして改めて決定して、フィンガ数記憶部３１３および選択部３１４に出力する。
【００５８】
そして、ステップＳ１３５０では、フィンガ数記憶部３１３で、チャネルに対して割り当てられたフィンガ３０４の数Ｐを更新して記憶する。
【００５９】
そして、ステップＳ１４５０では、選択部３１４で、Ｐ個のフィンガ３０４をＲＡＫＥ受信器３００に設けられたＮ個のフィンガ３０４の中から選択する。より具体的には、Ｎ個のフィンガ３０４のうち、現在チャネルに割り当てられているフィンガ３０４と現在どのチャネルにも割り当てられていないフィンガ３０４の中からＰ個のフィンガ３０４を選択する。それから、選択されたＰ個のフィンガ３０４と、既に選択されている最大比合成部３０７とを制御信号出力部３１５に通知する。
【００６０】
そして、ステップＳ１６５０では、制御信号出力部３１５で、チャネルに対してＰ個のフィンガ３０４を割り当てる制御信号を同期処理部３０２へ出力する。また、これと同時に、チャネルに対してＰ個のフィンガ３０４と最大比合成部３０７とを割り当てる制御信号を切り替えスイッチ３０３へ出力する。
【００６１】
なお、切り替え制御部３０１は、上記の構成に限定されない。例えば、最大比合成部３０７の選択は、本実施の形態では選択部３１４により行われているが、切り替え制御部３０１の内部あるいは外部に別途設けられた部分により行われても良い。この場合は、制御信号出力部３１５が、チャネルに対してＰ個のフィンガ３０４を割り当てる制御信号を切り替えスイッチ３０３へ出力し、前述の部分が、チャネルに対して１個の最大比合成部３０７を割り当てる制御信号を切り替えスイッチ３０３へ出力する。
【００６２】
このように、本実施の形態によれば、ＲＡＫＥ受信器３００内に設けられたＮ個のフィンガ３０４の中からＰ個のフィンガ３０４が受信されたチャネルに割り当てられる。よって、受信されたチャネルへのフィンガ３０４の割り当てが可変となり、１つのチャネルに対して適切な数のフィンガ３０４を割り当てることができる。
【００６３】
また、本実施の形態によれば、フィンガ３０４の割り当てはチャネルの拡散率ＳＦに基づいて行われるため、チャネルに割り当てるフィンガ３０４が拡散率ＳＦに応じて可変となり、常に適切な数のフィンガ３０４を割り当てることができる。
【００６４】
また、本実施の形態によれば、フィンガ３０４の割り当てはチャネルの受信品質Ｑに基づいて行われるため、チャネルに割り当てるフィンガ３０４が受信品質Ｑに応じて可変となり、常に適切な数のフィンガ３０４を割り当てることができる。
【００６５】
また、本実施の形態によれば、決定された数Ｐに従って、適宜フィンガ３０４が選択されるので、受信されたチャネルに割り当てるフィンガ３０４の割り当てが可変となり、１つのチャネルに対して適切な数のフィンガ３０４を割り当てることができる。
【００６６】
また、本実施の形態によれば、切り替えスイッチ３０３は、ＲＡＫＥ受信器３００内に設けられたフィンガ３０４と最大比合成部３０７の接続を適宜切り替えるため、ＲＡＫＥ受信器３００内に設けられたフィンガ３０４を、複数のチャネルに対して割り当てることができる。
【００６７】
【発明の効果】
以上説明したように、本発明によれば、チャネルに対して適切な数のフィンガを割り当てることができる。
【図面の簡単な説明】
【図１】本発明の一実施の形態に係るＣＤＭＡ受信装置の構成を示すブロック図
【図２】本実施の形態に係る切り替え制御部の構成の一例を示すブロック図
【図３】本実施の形態に係る切り替え制御部の動作を説明するためのフロー図
【図４】本実施の形態に係るテーブルの一例を示す図
【図５】本実施の形態に係る切り替え制御部のもう１つの動作を説明するためのフロー図
【図６】従来のＣＤＭＡ受信装置の構成の一例を示すブロック図
【符号の説明】
１００  アンテナ
２００  無線部
３００−１、３００−２、…、３００−Ｋ  ＲＡＫＥ受信器
３０１  切り替え制御部
３０２  同期処理部
３０３  切り替えスイッチ
３０４−１、３０４−２、…、３０４−Ｎ  フィンガ
３０５−１、３０５−２、…、３０５−Ｎ  逆拡散部
３０６−１、３０６−２、…、３０６−Ｎ  同期検波部
３０７−１、３０７−２、…、３０７−Ｍ  最大比合成部
３０８  拡散率取得部
３０９  受信品質取得部
３１０  参照部
３１１  テーブル
３１２  フィンガ数決定部
３１３  フィンガ数記憶部
３１４  選択部
３１５  制御信号出力部
３１６  良否判定部
３１７  増減決定部
３１８  未使用フィンガカウンタ
３１９  フィンガ数計算部
【図１】
0003600225.tif 000002
【図２】
0003600225.tif 000003
【図３】
0003600225.tif 000004
【図４】
0003600225.tif 000005
【図５】
0003600225.tif 000006
【図６】
0003600225.tif 000007